(57)【特許請求の範囲】
【請求項１】
冷暗所が設けられた冷暗所付き住宅であって、
前記冷暗所は、壁、天井及び土間床で区画され、
前記壁、前記天井及び前記土間床に沿って断熱層が設けられ、
前記冷暗所内において前記土間床の上方に位置し、収納空間と床下空間とを仕切る伝熱性の床と、
前記冷暗所内に設けられた冷媒循環式の輻射冷房手段と、
潜熱蓄熱材を有し、前記輻射冷房手段の冷媒に対して熱交換を行う蓄冷ユニットと、を備え、
前記蓄冷ユニットは、前記床下空間の前記土間床上に配置され、前記床を介して前記収納空間を冷却することを特徴とする冷暗所付き住宅。
【請求項２】
請求項１に記載の冷暗所付き住宅において、
前記土間床に排水口が設けられていることを特徴とする冷暗所付き住宅。
【請求項３】
請求項１又は２に記載の冷暗所付き住宅において、
前記床は、簀の子状に形成されていることを特徴とする冷暗所付き住宅。
【請求項４】
請求項１から３のいずれか一項に記載の冷暗所付き住宅において、
前記冷暗所を画成する壁は、調湿建材を含むことを特徴とする冷暗所付き住宅。
【請求項５】
請求項１から４のいずれか一項に記載の冷暗所付き住宅において、
前記蓄冷ユニットは、金属製の筐体を有していることを特徴とする冷暗所付き住宅。
【発明の詳細な説明】
【技術分野】
【０００１】
本発明は、食品等の物品を収納する冷暗所を備える冷暗所付き住宅に関する。
【背景技術】
【０００２】
従来、貯蔵適性の異なる食品や物品の貯蔵管理において、貯蔵条件として冷却が必要な食品や物品を冷蔵庫に保管し、それ以外の食品や物品を台所近辺に設置された収納場所に保管することが行われている。
【０００３】
そこで、食品や物品を適切に管理保管する収納場所として、冷暗所が設けられた住宅が提供されている（例えば、特許文献１参照）。特許文献１に記載の技術では、冷暗所は、天井高さが居室よりも低く、窓のない壁で画成されており、当該冷暗所の壁や天井材の表面が調湿建材で形成されている。これにより、食品や物品の収納及び取り出しが容易で、且つ冷暗所内が適度な温度及び湿度に維持された、食品や物品の保管に適した収納場所が得られている。
【先行技術文献】
【特許文献】
【０００４】
【特許文献１】特開２０１２−３６６９９号公報
【発明の概要】
【発明が解決しようとする課題】
【０００５】
ところで、上記従来の冷暗所内には、冷媒を循環させる熱交換方式の輻射冷房手段が設けられる。当該輻射冷房手段には、潜熱蓄熱材を有する蓄冷ユニット及びヒートポンプ式冷温水熱源機が接続されている。このように構成される冷却システムにおいては、通常時には、ヒートポンプ式冷温水熱源機により輻射冷房手段の冷媒が冷却されるが、夜間等の気温の低いときにはヒートポンプ式冷温水熱源機が蓄冷ユニット内の潜熱蓄熱材を冷却し、日中等の気温の高いときには当該蓄冷ユニットが冷房手段の冷媒を冷却するように構成されている。当該冷却システムにおいては、消費電力の低減及び冷暗所内の効率的な冷却を実現すべく、一般に、蓄冷ユニットを断熱材で覆うことで当該蓄冷ユニット表面からの冷熱の放出による放熱ロスを低減させている。しかしながら、蓄冷ユニットを断熱材で覆っても放熱ロスを大幅に低減することはできず、消費電力が増大するとともに冷暗所内の効率的な冷却を行うことができなかった。
【０００６】
本発明の課題は、低電力で効率的に収納空間内の冷却を行う冷暗所を備える住宅を提供することである。
【課題を解決するための手段】
【０００７】
上記課題を解決するために、請求項１に記載の発明は、例えば図１〜図６に示すように、
冷暗所１２が設けられた冷暗所付き住宅であって、
前記冷暗所１２は、壁３１〜３４、天井３５及び土間床３７で区画され、
前記壁３１〜３４、前記天井３５及び前記土間床３７に沿って断熱層３１ａ〜３３ａ、３５ａ、３７２が設けられ、
前記冷暗所１２内において土間床３７の上方に位置し、収納空間１２ａと床下空間１２ｂとを仕切る伝熱性の床３６と、
前記冷暗所１２内に設けられた冷媒循環式の輻射冷房手段（例えば冷輻射パネル１５）と、
潜熱蓄熱材を有し、前記輻射冷房手段（例えば冷輻射パネル１５）の冷媒に対して熱交換を行う蓄冷ユニット５０と、を備え、
前記蓄冷ユニット５０は、前記床下空間１２ｂの前記土間床３７上に配置され、前記床３６を介して前記収納空間１２ａを冷却することを特徴とする。
【０００８】
請求項１記載の発明によれば、冷暗所１２内において土間床３７の上方に位置し、収納空間１２ａと床下空間１２ｂとを仕切る床３６が伝熱性を有し、潜熱蓄熱材を有してなる蓄冷ユニット５０が床下空間１２ｂの土間床３７上に配置されて床３６を介して収納空間１２ａを冷却するので、蓄冷ユニット５０の表面から放出される冷熱を効果的に利用することができ、断熱材で覆われた従来型の蓄冷ユニットを用いた場合に比べて、蓄冷ユニット５０表面からの放熱ロスを低減することができる。これにより、低電力で効率的に収納空間１２ａ内の冷却を行うことができる。また、蓄冷ユニット５０が、床下空間１２ｂに配置されているので、収納空間１２ａの省スペースを図ることができる。
【０００９】
請求項２に記載の発明は、例えば図４に示すように、請求項１に記載の冷暗所付き住宅において、
前記土間床３７に排水口３７４が設けられていることを特徴とする。
【００１０】
請求項２に記載の発明によれば、土間床３７に排水口３７４が設けられているので、蓄冷ユニット５０の表面で結露した水滴を効率的に排水することができ、冷暗所１２内を適度な湿度に維持することができる。
【００１１】
請求項３に記載の発明は、例えば図４に示すように、請求項１又は２に記載の冷暗所付き住宅において、
前記床３６は、簀の子状に形成されていることを特徴とする。
【００１２】
請求項３に記載の発明によれば、床３６が簀の子状に形成されているので、収納空間１２ａと床下空間１２ｂとの間で空気及び水を透過させることができ、蓄冷ユニット５０による収納空間１２ａの冷却をより効率的に行うことができる。また、収納空間１２ａ内で発生した水滴を床下空間１２ｂへ排水することができる。
【００１３】
請求項４に記載の発明は、例えば図４〜６に示すように、請求項１から３のいずれか一項に記載の冷暗所付き住宅において、
前記冷暗所１２を画成する壁３２〜３４は、調湿建材を含むことを特徴とする。
【００１４】
請求項４に記載の発明によれば、冷暗所１２を画成する壁３２〜３４が調湿建材を含むので、調湿建材が湿気を吸収し、結露やカビの発生を抑制することができる。
【００１５】
請求項５に記載の発明は、例えば図４に示すように、請求項１から４のいずれか一項に記載の冷暗所付き住宅において、
前記蓄冷ユニット５０は、金属製の筐体５１を有していることを特徴とする。
【００１６】
請求項５に記載の発明によれば、蓄冷ユニット５０が金属製の筐体５１を有しているので、蓄冷ユニット５０の表面の伝熱性が高く、床下空間１２ｂ雰囲気との熱交換をより効率的に行うことができ、放熱ロスをより低減することができる。
【発明の効果】
【００１７】
本発明によれば、低電力で効率的に収納空間内の冷却を行う冷暗所を備える住宅を提供することができる。
【図面の簡単な説明】
【００１８】
【図１】本発明の冷暗所付き住宅の一例を示すもので、１階の平面図である。
【図２】冷暗所と収納室を示す平面図である。
【図３】収納棚を冷暗所に設置した状態を示す斜視図である。
【図４】冷暗所の一部を概略的に示す側面図であって、冷輻射パネル及び蓄冷ユニット等を示す図である。
【図５】冷暗所の一部を概略的に示す平面図であって、冷輻射パネル等を示す図である。
【図６】冷暗所の一部を概略的に示す正面図であって、冷輻射パネル等を示す図である。
【発明を実施するための形態】
【００１９】
以下、図面を参照して本発明の実施の形態について説明する。ただし、以下に述べる実施の形態には、本発明を実施するために技術的に好ましい種々の限定が付されているが、発明の範囲を以下の実施形態及び図示例に限定するものではない。
【００２０】
図１及び図２を参照して本発明の冷暗所付き住宅について説明する。
図１は、本発明に係る冷暗所付き住宅の一例を示すもので、住宅の１階の平面図である。図２は、冷暗所と収納室を示す平面図である。以下の説明において、図１における右側を「右方向」とし、図１における左側を「左方向」とし、図１における下側を「前方向」とし、図１における上側を「後方向」とする。
【００２１】
図１に示すように、平面視において右方向角部に、玄関ポーチ１が配置されており、この玄関ポーチ１の後方向に隣接して玄関土間２が配置されている。この玄関土間２の左方向に隣接して玄関ホール３が配置されており、この玄関ホール３に面して上階へ至る階段４が配置されている。
また、平面視において左方向角部に、ダイニング５が配置されており、このダイニング５に隣接してリビング６とキッチン７とが配置されている。リビング６には玄関ホール３から出入りできるようになっている。
【００２２】
玄関土間２の後方向に隣接して、収納室１０が配置されている。この収納室１０は天井高さが０．８〜１．４ｍの低天井室であり、その床は土間床となっている。この土間床は玄関土間２の床と同じ高さである。収納室１０と玄関土間２とを仕切る壁に、収納室１０の出入口１１が設けられている。したがって、利用者は、玄関土間２から直ぐに収納室１０に入ることができ、例えば、自転車、外部で使用する道具等を収納するのに便利である。なお、収納室１０を形成する壁の一部は外壁となっており、この外壁に明り採り用の窓１０ａが設けられている。
【００２３】
図１及び図２に示すように、収納室１０の左方向に隣接して冷暗所１２が配置されている。冷暗所とは、温度が２０℃以下で且つ日が当たらず暗い場所のことをいう。また、冷暗所１２の土間床３７は収納室１０の土間床とほぼ等しい高さとなっている。また、収納室１０の土間床のうち後方部分には床１０ｂが所定の高さに設けられ、冷暗所１２の床３６は収納室１０の床１０ｂと等しい高さとなっている。
【００２４】
この冷暗所１２は、土間床３７から天井までの天井高さが０．８〜１．４ｍで、且つ、窓のない壁３１〜３４で画成された平面視矩形状の室である。これにより、この冷暗所１２に、手の届く範囲で且つ比較的温度が高い空気や光に晒されることなく、食品や物品を収納保管できる。また、冷暗所１２を形成（画成）する壁３１〜３４は全て住宅内部の内壁で構成されており、これによって、冷暗所１２は外部の気温による影響を受け難くなっている。
【００２５】
冷暗所１２と収納室１０とを仕切る壁３２には、出入口１３が形成されている。この出入口１３が形成された壁３２は、冷暗所１２の平面視における一方の長辺を構成する壁であり、この壁３２の幅方向に広い範囲で出入口１３が形成されている。このように、冷暗所１２の長辺を構成する壁３２に出入口１３が設けられているので、出入口１３を大きく取ることができるとともに、出入口１３からの奥行きが浅くなるので、食品や物品の収納、取り出しが行い易くなる。この出入口１３には、引違い式の引戸１３ａが設けられている。この引戸１３ａは密閉性があり、且つ、遮光性を備えた戸である。なお、出入口１３は、壁３２の幅全体に亘って形成されていても良い。
【００２６】
このように、冷暗所１２の出入口１３が設けられた壁３２を境にして、天井高さが０．８〜１．４ｍの収納室１０が冷暗所１２に隣接して設けられ、この収納室１０の出入口１１は、冷暗所１２の出入口１３が設けられた壁３２と直角に配置された壁に設けられている。これにより、収納室１０から出入口１１を通って冷暗所１２に出入りできるので、収納室１０に収納されている物品を必要に応じて冷暗所１２に直ぐに収納できる。また、収納室１０の出入口１１が、冷暗所１２の出入口１３が設けられた壁３２以外の壁に設けられているので、住宅内の他の場所と冷暗所１２とを行き来する場合、必ず収納室１０を経由することになる。したがって、収納物の種類が複数ある場合に、適宜選択しながら、収納室１０と冷暗所１２にそれぞれ収納でき、利便性が高い。
【００２７】
続いて、図３〜図６を参照して冷暗所１２について詳細に説明する。
図３は、収納棚１６、１７を冷暗所１２に設置した状態を示す斜視図、図４は、冷暗所１２の一部を概略的に示す側面図であって冷輻射パネル（輻射冷房手段）１５及び蓄冷ユニット５０等を示す図、図５は、冷暗所１２の一部を概略的に示す平面図であって冷輻射パネル１５等を示す図、図６は、冷暗所１２の一部を概略的に示す正面図であって、冷輻射パネル１５等を示す図である。
【００２８】
冷暗所１２の平面視における一方の短辺を構成する壁３１の近傍には、当該壁３１に対向し壁３１の面方向に沿って冷輻射パネル１５が設けられている。これにより、夏季等の気温が高いときにおいても冷暗所１２の温度を一定以下に保持することができるとともに、冷輻射パネル１５からの冷熱によって、冷暗所１２の平面視長辺方向において、温度の勾配が生じるので、収納すべき物の種類によって、温度に合わせて適宜物品の収納位置を選択できる。冷輻射パネル１５は、図３〜図６に示すように複数の管部材１５ａを有し、内部に流体（冷媒）が流れる伝熱部材である。これら管部材１５ａは、冷暗所１２内において鉛直方向に延び、所定間隔をおいて並列して設けられている。
冷輻射パネル１５の各管部材１５ａの上端部及び下端部は互いに連結されており、各管部材１５ａ内部に配管１５ｂを介して流体が流れ込むように構成されている。冷却された流体が冷輻射パネル１５の各管部材１５ａ内部を上端から下端に向けて流れ、当該冷輻射パネル１５から放熱（冷熱の放熱）されることによって、冷暗所１２内が冷却される。
また、冷輻射パネル１５の下部には、ドレン管１５ｃが床３６を貫通して設けられ、当該ドレン管１５ｃの下端部は土間床３７の近傍に配置されている。これにより、冷輻射パネル１５の表面で結露した水滴が、当該ドレン管１５ｃ内を通って床３６の下方に排水される。
【００２９】
冷輻射パネル１５に対向する壁３１の表面には、防水性を有し表面が平滑な平滑板３１ｂが貼り付けられている。平滑板３１ｂは、アクリル樹脂からなるアクリル板である。この平滑板３１ｂは、冷輻射パネル１５に対向して配置されている。これにより、冷輻射パネル１５により壁３１が冷却されて結露が発生しても、平滑板３１ｂを拭き取る等によって水滴を除去することができ、冷暗所１２内の湿気を除去して適度な湿度に維持することができる。また、平滑板３１ｂは防水性を有し平滑であるので、水洗いや拭き取り等による清掃を行い易い。また、平滑板３１ｂがアクリル樹脂で形成されていることにより、他の防水性の平滑板と比べて、取り扱いが容易であるとともに、施工コストが低い。
なお、平滑板３１ｂは、スチレンフォーム上に積層されて設けられていなくとも良く、平滑板３１ｂ単独で壁３１の表面に設けられていても良い。また、平滑板３１ｂは、アクリル板でなくとも良く、例えば、ステンレス板、ガラス板、樹脂板等、他の材料で代替することも可能である。
【００３０】
また、冷暗所１２を画成する壁３１〜３４のうち壁３１以外、すなわち、壁３２、３３、３４の表面は、調湿建材により形成されている。調湿建材は、微細な細孔を無数に有する多孔質の建材（壁材）であり、多湿環境では湿気を吸収して結露やカビの発生を抑制し、過乾燥環境では溜め込んだ湿気を放出する機能を有する。これにより、冷暗所１２内を適度な湿度に維持することができる。
【００３１】
また、冷暗所１２を画成する壁３１〜３４はそれぞれ、内部中空部を有する壁パネルに断熱材が充填されて構成され、当該断熱材により壁３１〜３４に沿って断熱層３１ａ〜３３ａが形成されている。なお、壁３４に沿って設けられる断熱層については図示を省略している。断熱材としては、例えば、グラスウール、ロックウール、セルロースファイバー、炭化コルク、羊毛断熱材、ウレタンフォーム、フェノールフォーム、ポリスチレンフォーム等が用いられる。
更に、壁３１は、上記断熱材が充填された壁パネルに、例えばスタイロフォーム（登録商標）等からなる断熱材３１１が積層されて構成されている。図４に示すように、断熱材３１１は上記平滑板３１ｂに覆われており、これにより、当該断熱材３１１の吸湿による劣化が抑制されている。
また、断熱材３１１は、壁３１の下方の基礎３１２の表面や、土間床３７を構成する断熱層３７２にも連通して設けられている。基礎３１２の表面に設けられる断熱材３１１は、モルタル３１３で被覆されており、これにより、断熱材３１１の吸湿による劣化が抑制されている。
【００３２】
また、壁３１には、換気扇１８が設けられており、冷暗所１２内に収納保管される野菜等から発生したエチレンガス等を室外へ排気できるようになっている。
【００３３】
冷暗所１２の天井３５は、収納空間１２ａに面する天井材の上面に断熱材が敷き詰められて構成され、当該断熱材により天井３５に沿って断熱層３５ａが形成されている。また、天井３５の天井材表面は調湿建材により形成されている。天井３５に用いられる断熱材としては、上記壁３１〜３４に用いられる断熱材と同様のものが用いられる。
【００３４】
冷暗所１２の土間床３７は、複数の層が積層されて構成されている。すなわち、土間床３７は、上方から、押さえコンクリート３７１、スタイロフォーム等の断熱材からなる断熱層３７２、防湿コンクリート３７３がこの順に積層されて構成されている。これにより、断熱層３７２が土間床３７に沿って設けられている。また、押さえコンクリート３７１と断熱層３７２との間には、図示しない防蟻アルミシートが設けられている。
なお、断熱層３７２に用いられる断熱材としては、上記壁３１〜３４に用いられる断熱材と同様のものを用いても良い。
【００３５】
また、土間床３７において、上記ドレン管１５ｃの下端部の近傍には、排水口３７４が設けられ、当該排水口３７４は土間床３７を構成する各層の厚さ方向に貫通する排水管３７５に連通している。これにより土間床３７上の水滴等が排水口３７４から排水管３７５内を通って下水管（図示略）に排水されることが可能となっている。また、上記土間床３７には、排水口３７４近傍の高さが低くなるように勾配が付けられている。
【００３６】
冷暗所１２において土間床３７の上方には、伝熱性の床３６が設けられ、当該床３６により、冷暗所１２内における上方の収納空間１２ａと下方の床下空間１２ｂとが仕切られている。冷輻射パネル１５や収納棚１６、１７は、床３６上に設置されて、収納空間１２ａ内に設けられている。床３６としては、例えば、アルミニウム等の金属、ベニヤ、コンクリート等で構成され、厚さ方向に空気や水を透過させることができるように簀の子状に形成されている。これにより、床３６を空気や水が透過することで、収納空間１２ａと床下空間１２ｂとの間で熱を相互に効率的に伝えることができる。また、収納空間１２ａ内で結露が発生した場合に、その水滴を簀の子状の床３６を介して収納空間１２ａから床下空間１２ｂへ排水することができる。床下空間１２ｂに流入した水は、上記排水口３７４及び排水管３７５から排水される。
【００３７】
なお、床３６としては、収納空間１２ａと床下空間１２ｂとの間で相互に熱を伝えることができれば簀の子状に形成されていなくても良く、任意の形状の孔部が設けられた形状であっても良いし、孔部が設けられていない平板形状であっても良い。
【００３８】
また、図４に示すように、床３６と壁３１との間には、隙間が形成され、収納空間１２ａと床下空間１２ｂとが連通している。また、壁３１の表面に設けられた上記平滑板３１ｂは、当該隙間を通って床下空間１２ｂまで延在している。
ここで、冷輻射パネル１５は壁３１の最も近傍に配置されているため、冷輻射パネル１５が冷暗所１２内を冷却すると、壁３１が冷却されて壁３１に結露が発生する場合がある。この壁３１の表面には平滑板３１ｂが設けられているため、平滑板３１ｂの表面に一定量の水滴が結露すると水滴が速やかに図４中の矢印ａ方向に滑り落ち、床３６と壁３１との間の隙間を通って床下空間１２ｂに排水される。また、冷輻射パネル１５の管部材１５ａ表面に結露が発生し、その水滴が上記ドレン管１５ｃから排水されずに床３６に流れ落ちた場合には、当該水滴が床３６と壁３１との間の隙間を通って床下空間１２ｂに排水される。これにより、多湿環境下においても、冷暗所１２内の湿気を室外へ排出し、冷暗所１２内を適度な湿度に維持することができる。
【００３９】
図４に示すように、冷輻射パネル１５は、配管１５ｂを介して蓄冷ユニット５０及びヒートポンプ式冷温水熱源機６０に接続されている。配管１５ｂは、図示しない循環ポンプによって、冷輻射パネル１５、蓄冷ユニット５０及びヒートポンプ式冷温水熱源機６０の間で流体（冷媒）を循環させる。
【００４０】
蓄冷ユニット５０は、冷暗所１２の床下空間１２ｂの土間床３７上に設けられ、潜熱蓄熱材を有し、冷輻射パネル１５内の流体に対して熱交換を行うことで当該流体を冷却する。また、蓄冷ユニット５０は、蓄冷ユニット５０表面からも冷熱を放出して、床下空間１２ｂ雰囲気に対して熱交換を行い、床下空間１２ｂ内を冷却する。蓄冷ユニット５０としては、蓄冷を行うことができればいずれの構成であっても良いが、例えば、アルミニウム製の筐体５１、当該筐体５１内に水とともに収容された粒状の潜熱蓄熱材（図示略）、筐体内に収容された熱交換器（図示略）等を備えた構成が挙げられる。蓄冷ユニット５０は、アルミニウム製の筐体５１を有しているため、蓄冷ユニット５０表面の伝熱性が高く、床下空間１２ｂ雰囲気との熱交換をより効率的に行うことができる。
【００４１】
潜熱蓄熱材としては、例えばｎ−パラフィンが粒状に成型されたものが用いられ、より具体的には、ＪＳＲ（株）製のＣＡＬＧＲＩＰ（登録商標）等を用いることができる。また、潜熱蓄熱材は、融解時には水よりも密度が低く、凝固時には水よりも密度が高くなるように調整されていることが好ましい。このように調整されていることにより、蓄冷ユニット５０の蓄冷時（放冷前）には、粒状の潜熱蓄熱材が凝固状態となって水に沈んでおり、蓄冷ユニット５０の放冷時には、融解した潜熱蓄熱材の粒が水に浮くことで潜熱蓄熱材の粒が筐体５１内で流動するため、潜熱蓄熱材全体でムラなく放冷し、蓄冷ユニット５０の放冷効率を高めることができる。
【００４２】
また、熱交換器としては、筐体５１内で流体（冷媒）を循環させて当該流体と潜熱蓄熱材との熱交換を行うことができればいずれの構成であっても良いが、例えば、内側に流体を通すアルミニウムプレート型の配管とコルゲートフィンとが交互に積層されてなるカーエアコン用の熱交換器を用いることができる。そのような熱交換器としては、例えば、日本軽金属（株）製のカーエアコン用パラレルフローコンデンサー等を用いることができる。蓄冷ユニット５０の熱交換器がこのように構成されていることで、熱交換器の表面積が十分に確保され、筐体５１内に収容された潜熱蓄熱材が熱交換器表面に付着することによる熱伝導性の低下を抑制することができる。
【００４３】
上記したように構成された蓄冷ユニット５０が床下空間１２ｂの土間床３７上に配置され、床３６が伝熱性を有して構成されているので、蓄冷ユニット５０は、床下空間１２ｂを直接的に冷却するとともに、床３６を介して収納空間１２ａを冷却することができる。このように、蓄冷ユニット５０が床３６を介して収納空間１２ａを冷却することで、蓄冷ユニット５０の表面からの冷熱をも利用できるため、断熱材で覆われた従来型の蓄冷ユニットを用いた場合に比べて、放熱ロスを低減することができ、低電力で効率的に収納空間１２ａ内を冷却することができる。また、床下空間１２ｂには、排水口３７４が設けられているため、蓄冷ユニット５０の表面で結露した水を効率的に排水することができ、冷暗所１２内を適度な湿度に維持することができる。
【００４４】
ヒートポンプ式冷温水熱源機６０は、冷暗所１２の外部に設けられ、冷輻射パネル１５及び蓄冷ユニット５０内を流れる流体を冷却する。
上記蓄冷ユニット５０が冷暗所１２の床下空間１２ｂに配置され、ヒートポンプ式冷温水熱源機６０が冷暗所１２の外部に配置されていることで、収納空間１２ａの省スペースが図られている。
【００４５】
冷輻射パネル１５、蓄冷ユニット５０及びヒートポンプ式冷温水熱源機６０を流れる流体の循環経路は、図示しない三方弁等の切替によって変更される。すなわち、通常運転時には、流体は冷輻射パネル１５及びヒートポンプ式冷温水熱源機６０の間で循環して、ヒートポンプ式冷温水熱源機６０が冷輻射パネル１５内の流体を直接的に冷却する。また、夜間等の気温が低いときには、流体は蓄冷ユニット５０及びヒートポンプ式冷温水熱源機６０の間で循環して、ヒートポンプ式冷温水熱源機６０が流体を介して蓄冷ユニット５０の潜熱蓄熱材を冷却する。また、日中等の気温が高いときには、流体は蓄冷ユニット５０及び冷輻射パネル１５間で循環して、蓄冷ユニット５０が冷輻射パネル１５内の流体を冷却する。
【００４６】
なお、冷暗所１２には、図示しない温度センサが設置されており、この温度センサによって冷暗所１２の温度が２０℃以下（１５℃程度）となるように、冷輻射パネル１５、蓄冷ユニット５０及びヒートポンプ式冷温水熱源機６０等が制御されるように構成されている。
冷房手段としては、エアコンが一般的であるが、室内を１５℃程度まで冷却できるような製品がないことと、冷却に伴い除湿が進み、食品の乾燥を助長することから、本発明においては好ましくない。一方、輻射パネルによる冷却の場合、乾燥は抑えられるので食品保存上好ましい。
【００４７】
冷暗所１２には、図１〜図４に示すように、二つの収納棚１６、１７が設置されている。収納棚１６は冷暗所１２の平面視長辺を構成する壁３３に沿って設けられており、収納棚１７は短辺を構成する壁３４に沿って設けられている。これら収納棚１６、１７の棚板は簀の子状に形成されており、棚板の上下方向に空気が抜けるようになっている。
収納棚１６、１７に収納される食品等は、野菜や果物の場合、外側から内部を目視可能なバスケット２０等に入れられた状態で棚に乗せられたり、直接棚に乗せられたりして収納される。したがって、バスケット２０を通して野菜や果物を外側から目視したり、直接目視したりすることによって、野菜や果物の状態を観察できるようになっている。
また、収納棚１６の冷輻射パネル１５に近い側には、ワイン２１、ミネラルウォータ２２、醤油２３等の比較的低い温度状態で保管することが好ましい物が収納されるようになっている。
【００４８】
以上、本実施の形態によれば、冷暗所１２が設けられた冷暗所付き住宅であって、冷暗所１２が壁３１〜３４、天井３５及び土間床３７で区画され、当該壁３１〜３４、天井３５及び土間床３７に沿って断熱層３１ａ〜３３ａ、３５ａ、３７２が設けられ、冷暗所１２内において土間床３７の上方に位置し、収納空間１２ａと床下空間１２ｂとを仕切る伝熱性の床３６と、冷暗所１２内に設けられた冷媒循環式の冷輻射パネル１５と、潜熱蓄熱材を有し、冷輻射パネル１５の冷媒に対して熱交換を行う蓄冷ユニット５０と、を備え、蓄冷ユニット５０は、床下空間１２ｂの土間床３７上に配置され、床３６を介して収納空間１２ａを冷却するので、蓄冷ユニット５０の表面の冷熱を利用することができ、断熱材で覆われた従来型の蓄冷ユニットを用いた場合に比べて、放熱ロスを低減することができる。これにより、低電力で効率的に収納空間１２ａ内の冷却を行うことができる。また、蓄冷ユニット５０が、床下空間１２ｂに配置されているので、収納空間１２ａの省スペースを図ることができる。
【００４９】
また、土間床３７に排水口３７４が設けられているので、蓄冷ユニット５０の表面で結露した水滴を効率的に排水することができ、冷暗所１２内を適度な湿度に維持することができる。
【００５０】
また、床３６は、簀の子状に形成されているので、収納空間１２ａと床下空間１２ｂとの間で空気及び水を透過させることができ、蓄冷ユニット５０による収納空間１２ａの冷却をより効率的に行うことができる。また、収納空間１２ａ内で発生した水滴を床下空間１２ｂへ排水することができる。
【００５１】
また、冷暗所１２を画成する壁が調湿建材を含むので、調湿建材が湿気を吸収し、結露やカビの発生を抑制することができる。
【００５２】
また、蓄冷ユニット５０は、アルミニウム製の筐体５１を有しているので、蓄冷ユニット５０の表面における床下空間１２ｂ雰囲気との熱交換をより効率的に行うことができ、放熱ロスをより低減することができる。
【００５３】
なお、上記した実施形態では、冷暗所１２が、天井高さ０．８〜１．４ｍ、且つ、窓のない壁３１〜３４で画成された平面視矩形状の室であるものとしたが、天井高さは０．８〜１．４ｍでなくとも良いし、窓が設けられていても良い。また、冷暗所１２の形状は平面視矩形状でなくとも良い。
【００５４】
また、上記した実施形態では、冷暗所１２の壁３１〜３４、天井３５及び土間床３７に沿って断熱層３１ａ〜３３ａ、３５ａ、３７２が設けられているものとしたが、冷暗所１２の引戸１３ａにも断熱材が設けられているものとしても良い。
【００５５】
また、上記した実施形態では、冷暗所１２の壁３１の表面に平滑板３１ｂが貼り付けられているものとしたが、平滑板３１ｂは壁３１と一体として設けられているものとしても良い。また、冷暗所１２の壁３１には平滑板３１ｂが設けられていないものとしても良い。また、その場合には、当該壁３１の表面が平滑に加工され防水処理されているものとしても良いし、当該壁３１の表面が調湿建材により形成されているものとしても良い。
【００５６】
また、上記した実施形態では、冷暗所１２の壁３２〜３４及び天井３５が調湿建材を含むものとしたが、壁３２〜３４及び天井３５は調湿建材を含まなくても良い。
【００５７】
また、上記した実施形態では、蓄冷ユニット５０の筐体５１の材質は、コスト低減の観点からアルミニウムであるものとしたが、熱伝導率の高い材質であればアルミニウムでなくとも良く、例えば、ステンレスや銅等の金属材料であっても良い。
【符号の説明】
【００５８】
１      玄関ポーチ
２      玄関土間
３      玄関ホール
４      階段
５      ダイニング
６      リビング
７      キッチン
１０    収納室
１０ａ  窓
１０ｂ  床
１１    出入口
１２    冷暗所
１２ａ  収納空間
１２ｂ  床下空間
１３    出入口
１３ａ  引戸
１５    冷輻射パネル（輻射冷房手段）
１５ａ  管部材
１５ｂ  配管
１５ｃ  ドレン管
１６、１７  収納棚
１８    換気扇
２０    バスケット
２１    ワイン
２２    ミネラルウォータ
２３    醤油
３１、３２、３３、３４  壁
３１ａ、３２ａ、３３ａ  断熱層
３１ｂ  平滑板
３５    天井
３５ａ  断熱層
３６    床
３７    土間床
５０    蓄冷ユニット
５１    筐体
６０    ヒートポンプ式冷温水熱源機
３１１  断熱材
３１２  基礎
３７１  押さえコンクリート
３７２  断熱層
３７３  防湿コンクリート
３７４  排水口
３７５  排水管
【図１】
0005974053.tif 000002
【図２】
0005974053.tif 000003
【図３】
0005974053.tif 000004
【図４】
0005974053.tif 000005
【図５】
0005974053.tif 000006
【図６】
0005974053.tif 000007